(57)【要約】【課題】園芸用植物を栽培するプランタや植木鉢の地温を測定するのみならず、そのプランタや植木鉢で園芸用植物を栽培する際に必要な諸情報をその栽培場所において表示することができる有用性の高い台紙付き温度計を提供する。【解決手段】棒状温度計１が固着されると共に、その棒状温度計１の温度目盛４が記された台紙２の表面に、園芸用植物の栽培に必要な備忘事項を書き記すことができるメモ欄３や、栽培する植物の種類に応じてその発芽温度を明示することができる温度チェック欄７が設けられている。【選択図】図１
0003114440.tif 000002
【実用新案登録請求の範囲】
【請求項１】
棒状温度計がその温度目盛を記した台紙の表面に固着された台紙付き温度計において、前記台紙の表裏両面もしくは片面に、備忘事項を書き記すためのメモ欄が設けられていることを特徴とする台紙付き温度計。
【請求項２】
前記台紙の表面上部に前記メモ欄が設けられ、該メモ欄の下方に棒状温度計が固着されると共にその温度目盛を記す印刷が施されている請求項１記載の台紙付き温度計。
【請求項３】
前記メモ欄が、その外郭を画する枠線と、メモ欄であることを明示する文字とで構成されている請求項１又は２記載の台紙付き温度計。
【請求項４】
前記メモ欄に、日付記入欄が付設されている請求項１、２又は３記載の台紙付き温度計。
【請求項５】
前記台紙の表面に、その表面に記された棒状温度計の温度目盛と対応する一定の温度範囲を任意に選択してその選択した温度範囲に印を付けるための温度チェック欄が設けられている請求項１、２、３又は４記載の台紙付き温度計。
【請求項６】
前記台紙が、表面コート紙で成る請求項１、２、３、４又は５記載の台紙付き温度計。
【考案の詳細な説明】
【技術分野】
【０００１】
本考案は、棒状温度計がその温度目盛を記した台紙の表面に固着された台紙付き温度計に係り、特にプランタや植木鉢で栽培する園芸用植物の地温管理等に好適な台紙付き温度計に関する。
【背景技術】
【０００２】
プランタや植木鉢で栽培する園芸用植物の地温管理に用いる温度計は、各プランタや各植木鉢ごとにその培土に突き立てて地温を測定するため、安価で小型のものであることが望まれると共に、温度の測定範囲が０〜１０℃以上、４０〜５０℃以下で事足りることから、例えば図５に示すように、通常一般の寒暖計に用いるものよりも細くて短いミニサイズのアルコール封入ガラス温度計で成る棒状温度計４０が用いられ、このミニサイズの棒状温度計４０が、その温度目盛４２を記した安価な細片状の樹脂プレートで成る台紙４１の表面に接着剤で固着された極めて簡易な構成となっている。（非特許文献１参照）。
【非特許文献１】株式会社アイシー（〒154-0003  東京都世田谷区野沢２−３３−１５）のホームページ、ガラス棒式、温度計、「サーモ２４０  ミニミニ温度計」、［平成１７年６月２４日検索］、インターネット＜ＵＲＬ  http://www.ondokei.com/＞
【０００３】
ところで、植物の栽培にあたっては、種蒔きから発芽時までの地温（発芽温度）を適正に管理することが重要であるため、市販の種子を包装する小袋には、例えばパンジーであれば「発芽温度１５〜２０℃」、バジルであれば「発芽温度２０℃以上」、ラベンダーやアサガオ、マリーゴールドであれば「発芽適温２０〜２５℃」などと、夫々の発芽に適した地温が表示されている。
【０００４】
そして、園芸用植物の発芽温度は概ね２０℃前後であることが多いためか、図５に示す従来の台紙付き温度計は、温度目盛４２に１０℃刻みで付された温度の数値「０」、「１０」、「２０」、「３０」、「４０」及び「５０」のうち、数値「２０」だけを他と異なる白黒反転数字で表して、２０℃が発芽温度の目安値であることを暗に示している。
【０００５】
しかし、地温をきっかり２０℃に維持管理することは事実上困難であるから、栽培する植物の発芽温度を知らなければ、その発芽温度より低目の地温に維持したり、高目の地温に維持してしまうこともあり得る。殊に、栽培する植物の種類が多い場合は、それらの発芽温度を一々記憶することができないために、地温の管理を誤るおそれがある。また、園芸用植物の中には、例えばルピナスのように発芽温度が１０〜１５℃のものや、キュウリのように２５〜３０℃のものもあり、これらの植物について２０℃を目安値として地温を管理すると、その管理を誤ることとなる。
【０００６】
更に、植物の種類が多い場合は、どのプランタ・植木鉢に何時どのような植物の種を蒔いたのか判らなくなってしまうこともある。また、生育時には、一定期間ごとに水遣りや施肥を行う必要があり、植物によっては、一定の時期が来ると植替えをしなければならないものもあるが、それらのタイムスケジュールを全て記憶するのは困難であり、殊に、栽培する植物の種類が多い場合は、各々のタイムスケジュールをノートなどに書き留めて置かなければ失念するおそれがある。また、そのノートを一々参酌してタイムスケジュール等を確認するのは非常に面倒である。更に、例えばイチゴなどは、地温が上がりすぎると生育障害を起すので、生育時の地温を一定以下に維持しなければならないが、うっかりすると、これも失念するおそれがある。
【０００７】
また、従来の台紙付き温度計は、製造コストを低減するために、その台紙として安価なポリ塩化ビニル（ＰＶＣ）製のプレートを用いたものが多いが、ＰＶＣは環境問題や廃棄物問題を生ずるおそれがあり、台紙の材料としては好ましくないので、ＰＶＣプレートに代えて耐水性板紙を用いたものもある。
【考案の開示】
【考案が解決しようとする課題】
【０００８】
本考案は、単にプランタや植木鉢の地温を測定するのみならず、プランタや植木鉢で栽培する園芸用植物の種類、発芽温度、発芽期間、種蒔きの日、発芽予定日や、生育時における水遣りや施肥の時期などの栽培に必要な諸情報をその栽培場所に書き留めて表示するこができる有用性の高い台紙付き温度計を提供することを技術的課題としている。
【課題を解決するための手段】
【０００９】
上記の課題を解決するために、本考案は、棒状温度計がその温度目盛を記した台紙の表面に固着された台紙付き温度計において、前記台紙の表裏両面もしくは片面に、備忘事項を書き記すためのメモ欄が設けられていることを特徴とする。
【考案の効果】
【００１０】
本考案に係る台紙付き温度計を例えばプランタや植木鉢で栽培する園芸用植物の地温管理に用いる場合は、棒状温度計の温度目盛を記した台紙の表面もしくは裏面に設けられたメモ欄に、栽培する植物の種類や種蒔きの日、発芽温度、水遣り・施肥・植替えの時期等の諸情報を記入してから、その台紙に固着された棒状温度計をプランタや植木鉢の培土に突き立てる。これにより、どのプランタ・植木鉢に何時どのような植物の種が蒔かれたかを一目で判別することができると同時に、各プランタ・植木鉢ごとに植物の栽培に必要な情報が表示されているので、それらの情報を記憶したり、別途ノートに書き留めたり、ノートを参酌するなどの面倒が解消されるという優れた効果がある。
【考案を実施するための最良の形態】
【００１１】
本考案に係る台紙付き温度計が例えばプランタや植木鉢の地温を管理するために用いるものであるときは、その地温を測定する棒状温度計として、測定範囲が０〜１０℃以上、４０〜５０℃以下の細くて短いミニサイズのアルコール封入ガラス温度計を用い、該温度計がその温度目盛を記した台紙の表面に接着剤で固着された簡易小型で安価な構成となっている。
【００１２】
そして、台紙は、水性ペン等で文字を記入することでき、且つその文字を容易に消去することもできる表面コート紙で成り、その表面上部に備忘事項を書き記すためのメモ欄が設けられ、該メモ欄の下方に棒状温度計が固着されると共にその温度目盛を記す印刷が施されている。更に、台紙の表面のみならず、その裏面にも、備忘事項を書き記すためのメモ欄が設けられて、植物の栽培に必要な諸情報を満載し得るようになっている。また、それら各メモ欄は、植物の栽培に必要な情報等の記入を促すと同時に記入された情報を明示するために、そのメモ欄の外郭を画する枠線と、メモ欄であることを明示する「ＭＥＭＯ」等の文字とで構成され、少なくとも一方のメモ欄には、種蒔きの日や発芽予定日等を記入することができる日付記入欄が付設されている。
【００１３】
更に、台紙の表面には、その表面に記された棒状温度計の温度目盛と対応する一定の温度範囲（例えば１０〜１５℃、１５〜２０℃、２０〜２５℃及び２５〜３０℃）の中から栽培する植物の発芽温度と略符合する温度範囲を任意に選択してその選択した温度範囲に印を付けるための温度チェック欄が設けられて、棒状温度計で測定される地温が発芽温度の範囲内にあるか否かを一目でチェックすることができるようになっている。
【実施例】
【００１４】
図１は本考案に係る台紙付き温度計の一例を示す正面図、図２はその側面図、図３はその背面図、図４はその使用状態を示す斜視図である。本例に示す台紙付き温度計は、プランタや植木鉢で栽培する園芸用植物の地温管理に用いるもので、温度の測定範囲が１０〜４０℃の狭い範囲に限られた細くて短いミニサイズのアルコール封入ガラス温度計で成る棒状温度計１が、白色もしくはアイボリー等の明るい地色を呈する表面コート紙で成る台紙２の表面に接着剤で固着された簡易小型で安価な構成となっている。
【００１５】
台紙２は、その表面上部に、備忘事項を書き記すためのメモ欄３が設けられ、該メモ欄３の下方に、棒状温度計１が接着剤で固着されると共にその温度目盛４と温度の数値「１０」、「２０」、「３０」及び「４０」を表す数字を記した印刷が施されている。なお、メモ欄３は、その外郭を画する枠線５と、メモ欄であることを明示する「ＭＥＭＯ」の文字６とで構成されている。
【００１６】
また、台紙２の表面には、棒状温度計１の温度目盛４に沿って、該温度目盛４と対応する一定の温度範囲８ａ、８ｂ、８ｃ及び８ｄを任意に選択してその選択した温度範囲に印９を付けるための温度チェック欄７が設けられている。なお、温度チェック欄７の温度範囲８ａ、８ｂ、８ｃ及び８ｄは、例えば１０〜１５℃、１５〜２０℃、２０〜２５℃及び２５〜３０℃に区画されて、園芸用植物の発芽温度に対応する温度範囲をチェックすることができるようになっている。
【００１７】
また、台紙２の裏面には、その裏面の略全体を占めるメモ欄１０が設けられており、該メモ欄１０は、その外郭を画する枠線１１と、メモ欄であることを明示する「ＭＥＭＯ」の文字１２とで構成されると共に、「月日」の文字を印刷して成る日付記入欄１３が付設されている。なお、台紙２は、棒状温度計１の非測定範囲である下端部側をプランタや植木鉢の培土に突き刺しやすくするために、その下端部側を固着する部分が棒状温度計１の外径に略相当する程度の細幅に形成されている。
【００１８】
図１〜図３の如く構成された台紙付き温度計を例えばラベンダーの地温管理に使用する場合は、その使用状態において最も人目に付き易い台紙２の表面上部に設けられたメモ欄３に「ラベンダー」の名称を水性ペン等で記入して、種蒔きした植物がラベンダーであることを明示すると共に、棒状温度計１の温度目盛４の２０〜２５℃の範囲に対応する温度チェック欄７の温度範囲８ｂに印９を付けて、ラベンダーの発芽温度が２０〜２５℃であることを明示する。なお、発芽温度が２０℃以上の植物（例えばバジル）や、発芽温度が２０〜３０℃の植物（例えばローズマリー）については、温度チェック欄７の温度範囲８ａ及び８ｂの両区画に印９を付けるようにする。また、印９は、図示したレの字記号に限らず、○印や×印でもよいし、台紙２の地色と異なる任意の色の水性ペンを用いて温度範囲８ａ〜８ｄの各区画を塗り潰すものであってもよい。
【００１９】
次に、台紙２の裏面に設けたメモ欄１０に付設されている日付記入欄１３に、ラベンダーの種を蒔いた日あるいは発芽予定日等を記入すると共に、メモ欄１０の余白に、生育時に行うべき水遣りや施肥の時期等に関する諸情報を記入する。
【００２０】
そして、諸情報の記入が完了すると、図４の如く、ラベンダーの種が蒔かれた植木鉢１４の培土１５に棒状温度計１の下端部側を突き刺して、その培土１５に台紙付き温度計を突き立てた状態とする。これにより、植木鉢１４にラベンダーの種が蒔かれていることや、その発芽温度が２０〜２５℃であることが、その植木鉢１４に表示されるので、適切な地温管理を行うことができ、また、ノート等を参酌することなく水遣りや施肥に関するタイムスケジュールをその場で確認することができる。
【００２１】
また、台紙２が、ホワイトボード紙等の表面コート紙で成る場合は、図４の如く水性ペン等でメモ欄３に「ラベンダー」と記入した文字や、温度チェック欄７に記入した印９、メモ欄１０に記入したラベンダーに関する諸情報等を布切れで拭き取るなどして簡単に消去することができるから、ラベンダーの地温管理に用いた台紙付き温度計を他の植物の地温管理に再使用することも可能であると同時に、ＰＶＣプレートで成る台紙を用いる場合と違って環境問題や廃棄物問題を生ずるおそれもない。
【００２２】
なお、実施例の台紙付き温度計は、プランタや植木鉢で栽培する園芸用植物の地温管理に用いるものであるが、本考案に係る台紙付き温度計の用途はこれに限るものではなく、チェック欄の温度範囲も、発芽温度の温度範囲を区画するものに限定されない。また、棒状温度計は、アルコール封入ガラス温度計に限るものではなく、水銀封入ガラス温度計等であってもよい。また、台紙の材質も表面コート紙に限定されるものではなく、従来と同様の耐水性板紙等で成る台紙を用いるものであってもよい。また、メモ欄は、台紙の片面のみに設けられていてもよい。
【産業上の利用可能性】
【００２３】
本考案は、プランタや植木鉢で栽培する園芸用植物の発芽温度を管理するために使用される台紙付き温度計の有用性向上に資するものである。
【図面の簡単な説明】
【００２４】
【図１】本考案に係る台紙付き温度計の一例を示す正面図
【図２】図１に示す台紙付き温度計の側面図
【図３】図１に示す台紙付き温度計の背面図
【図４】図１に示す台紙付き温度計の使用状態を示す斜視図
【図５】従来の台紙付き温度計を示す正面図
【符号の説明】
【００２５】
１  棒状温度計
２  台紙
３  メモ欄
４  温度目盛
５  メモ欄の外郭を画する枠線
６  メモ欄であることを明示する文字
７  温度チェック欄
８ａ〜８ｄ  温度範囲
９  印
１０  メモ欄
１１  メモ欄の外郭を画する枠線
１２  メモ欄であることを明示する文字
１３  日付記入欄
１４  植木鉢
１５  培土
【図１】
0003114440.tif 000003
【図２】
0003114440.tif 000004
【図３】
0003114440.tif 000005
【図４】
0003114440.tif 000006
【図５】
0003114440.tif 000007